(57)【要約】【課題】従来のパドルは、正しく、美しく、効率よく泳げるようにするものではなかった。本発明は、これ等の問題を解決するための水泳技術の向上を目的とした水泳補助用具に関するものである。【解決手段】布幅５ｃｍ程度のポリプロピレン系繊維製等の水に強い材質で手首固定バンドを形成し、長手方向両先端部に５ｃｍ程度の長さで真ん中に切り込みを入れ、左右先端部を２片のバンド部に分ける。そして、左右のバンド片２片に面ファスナー雄部と雌部を互い違いに設ける。また、長手方向中央部の直角方向に紐通し部を２つ設け、その其々に紐を通し、２本の紐の先端に薄い硬質プラスチック製円盤を設ける。  以上を特徴とする、水泳用手首固定パドルである。【選択図】図１
2011011010.tif 000002
【特許請求の範囲】
【請求項１】
布幅５ｃｍ程度のポリプロピレン系繊維製等の水に強い材質で手首固定バンドを形成し、長手方向両先端部に５ｃｍ程度の長さで真ん中に切り込みを入れ、左右先端部を２片のバンド部に分け、そして、左右のバンド片２片に面ファスナー雄部と雌部を互い違いに設け、また、長手方向中央部の直角方向に紐通し部を２つ設け、その其々に紐を通し、２本の紐の先端に薄い硬質プラスチック製円盤を設けたことを特徴とする水泳用手首固定パドル。
【発明の詳細な説明】
【技術分野】
【０００１】  本発明は、水泳の初・中級者がハイエルボーストロークの習得を容易にすることで、正しく、美しく、効率よく泳げるようにすると共に、上級者がフォームの修正を行えるようにするための練習用パドルとして提案する、如何なる場所のプールでも身に着けて練習できる安心・安全の水泳技術の向上を目的とした水泳補助用具に関する。
【背景技術】
【０００２】  従来は、主に上級者が競技用の水泳技術の向上として、手のひらや前腕にプラスチック板を着けて、水圧を感じとる練習を行っていた（特許文献１〜４参照）。また一般の遊泳者も、同じような目的をもってプラスチック板や化学繊維の手袋状のものを着けて泳いでいた（特許文献５〜７参照）。また、水を掻く力の強化でなく、無駄な水の抵抗を少なくし、正しく効率よくストロークを行えるように手首を固定するパドルが考案されている（非特許文献１参照）。
【先行技術文献】
【特許文献】
【０００３】
【特許文献１】実開平０５−０９１７２４号広報
【特許文献２】特表２００１−５２３９７８号広報
【特許文献３】特開２００６−２３７号広報
【特許文献４】実登３１２７６９９号広報
【特許文献５】実登３００４４３０号広報
【特許文献６】実登３０４７６３０号広報
【特許文献７】特開２０００−１１６８１９号広報
【非特許文献】
【０００４】
【非特許文献１】米国ＦＩＮＩＳ社製  ＦＯＲＥＡＲＭ  ＦＵＬＣＲＵＭ  ＰＡＤＤＬＥ
【発明の概要】
【発明が解決しようとする課題】
【０００５】  その為に、次のような問題点があった。
（イ）これ等の殆どは、手のひらよりも大きな面積で水の抵抗を増やし、手で水を掻くときの負荷を大きくすることでストローク力を増やすことや持久力をつけること等を目的としている。しかし、高負荷の状態のストロークを多く繰り返すことで筋肉炎や腱鞘炎を起こしたりする。
（ロ）プラスチック等の板材は硬い材質で出来たものが多く、練習中における衝突から起こる怪我を避けるため、パドルを使用できる場合と場所は限られている。
（ハ）初・中級者が、正しい泳ぎ方を習得することを目的とした場合、パドルを着けることで要らない力みを生じて、泳ぎの正しいフォームの形成を図ることは難しい。それは、従来のパドルや手袋の何れもが、それらを身に着けた時に余分な水の抵抗がかかるため、実際に素手で泳いだ時の体のバランス感覚と異なる問題や、手のひらと腕を結びつける手首が自由に動くため手首が不安定となり、水中でのハイエルボー状態をつくり出すことが難しく無駄な水の抵抗を受け、水を掻く力が効率よく推進力に結びつかない。正しい泳ぎ方を習得するには、手首を固定して左右ストロークのバランスの取れた感覚を身に着けることが大切である。
（ニ）米国ＦＩＮＩＳ社製の手首を固定する化学樹脂製のパドルは、図８に示すように２つの輪が繋がった構造で出来ており、片側の輪に前腕を、もう一方の輪を手の先で支えるようになっている。手首と肘と肩を意識した正しいストロークテクニック練習目標に力点を置き、エントリーからキャッチまでの動作を意識した泳ぎと、高い位置のエルボーアップを促し、更に肩に負荷を課すことなく練習できるとしている。しかし図９の実施例のように、常に腕と指先でパドルを支えていなければならず手全体や腕に負担がかかり疲れると共に、指先で樹脂の部分を支えているため、タッチターンをすることは不可能であり危険である。更に樹脂製のため、使用できる場合と場所が限られており、他のパドル同様に一般のプールでの使用は不可能である。また、二種類のサイズしかないので様々な体格に合わせられるようになっていない。無理にパドルに腕や手を合わせようとすれば手首が曲がってしまうという問題もある。本発明は、このような従来の構成が有していた問題を解決しようとするものである。
【課題を解決するための手段】
【０００６】  布幅５ｃｍ程度のポリプロピレン系繊維製等の水に強い材質で手首固定バンドを形成し、長手方向両先端部に５ｃｍ程度の長さで真ん中に切り込みを入れ、左右先端部を２片のバンド部に分ける。そして、左右のバンド片２片に面ファスナー雄部と雌部を互い違いに設ける。また、長手方向中央部の直角方向に紐通し部を２つ設け、その其々に紐を通し、２本の紐の先端に薄い硬質プラスチック製円盤を設ける。
以上を特徴とする、水泳用手首固定パドルである。
【発明の効果】
【０００７】  本発明の水泳用手首固定パドルは、水泳の初・中級者や上級者が、従来の手のひらや腕の一部分の水掻きでなく、指先から手のひら、手首、前腕の内側が一枚の板状態を形成し、エントリーからキャッチ、プルスカーリング、プッシュ、フィニッシュの各動作において最も効率よく水圧を受け止め、水を掻く力のエネルギーを無駄なく推進力に結びつけるものである、この動作こそまさに、正しく、美しく、効率よく泳ぐためのハイエルボーストロークの習得に結びつくものである。また、素材がほぼ繊維製であり脱着が容易にでき、常に如何なる所でも手軽に身に着けて練習できる安心・安全の水泳補助具である。
【発明を実施するための形態】
【０００８】  本発明は上記目的を達成するために、手首（８）に巻きつけたポリプロピレン系繊維製手首固定バンド本体（１）から手の甲（９）を通して、２本の紐（４）の先に付けた直径約２．５ｃｍの薄い硬質プラスチック製円盤（５）を手のひら（１０）側の其々人差し指（１１ｂ）と中指（１１ｃ）及び薬指（１１ｄ）と小指（１１ｅ）の間に装着することで、手首（８）から先の手のひら（１０）全体が内側に曲がることを防ぎ、尚且つ全指先（１１ａ〜１１ｅ）から手のひら（１０）と手首（８）及び腕の内側全体が正に一枚の板状となることで、エントリー時には、指先から手のひら（１０）が水面に対して浅い角度で入ることを容易にし、水の抵抗を最小限に止める。また、キャッチ、プルスカーリング、プッシュ、フィニッシュの各動作においては最も効率よく水圧を受け止め、正しいハイエルボーストロークを身に付けるものである。リカバリーにおいても高い位置でのエルボーアップを保ちつつ、肘を軸として手のひら（１０）、手首（８）、前腕が真っ直ぐに伸びた一枚の板状態で次のエントリーの動作に移すことを容易にするものである。これらの一連の動作は４泳法の他、シンクロナイズドスイミングや水球等におけるスカーリングの練習効果を高めるのにも有効である。以下、本発明の実施の形態を図１〜図６に基づいて説明する。
【０００９】  図１は、本発明の水泳用手首固定パドルを面ファスナー（３）で手首（８）に装着した実施例を示す正面図である。図２は、同実施例側面図である。図３は、同実施例背面図である。
【００１０】  先ず、図４に示した手首固定バンド本体（１）を手首（８）に巻きつけて、長手方向左右先端部２片のバンド片（２）に設けた面ファスナー（３）で、図３のように１片ずつ手首（８）を絞めて固定する。
【００１１】  次に、図１のように長手方向中央部直角方向に設けた紐通し部（６）から伸びた２本の紐（４）を手の甲（９）を通して、紐（４）の先端に付いた薄い硬質プラスチック製円盤（５）を図３のように手のひら側（１０）の其々人差し指（１１ｂ）と中指（１１ｃ）及び薬指（１１ｄ）と小指（１１ｅ）の間に装着する。
【００１２】  そして、図２のように手のひら（１０）及び指（１１ａ〜１１ｅ）が手首側に曲がらないように手の甲（９）から手首（８）に亘って平板な形状を保つように、図７に示した形態を成す２個のプラスチック円盤（５）から伸びてきた紐（４）を、図１のように紐通し部（６）ところでしっかり結んで留める。
【００１３】  尚図６は、図５の水泳用手首固定パドルを面ファスナー（３）と固定バンドを留めるリング（７）を用いて手首（８）に装着した実施例である。その装着手順は、全く上記の説明に同じである。
【図面の簡単な説明】
【００１４】
【図１】本発明を面ファスナーで手首に装着した実施例を示す正面図である。
【図２】本発明を面ファスナーで手首に装着した実施例を示す側面図である。
【図３】本発明を面ファスナーで手首に装着した実施例を示す背面図である。
【図４】本発明の面ファスナー止めの平面図である。
【図５】本発明の面ファスナーとリング併用止めの平面図である。
【図６】本発明の面ファスナーとリング併用止めの実施例を示す背面図である。
【図７】手のひらを支える硬質プラスチック製円盤を拡大した正面図と側断面図である。
【図８】米国ＦＩＮＩＳ社製  ＦＯＲＥＡＲＭ  ＦＵＬＣＲＵＭ  ＰＡＤＤＬＥの平面図とパドルを手に装着した実施例を示す正面図である。
【符号の説明】
【００１５】  １  手首固定バンド本体
２  バンド片
３  面ファスナー
４  紐
５  硬質プラスチック製円盤
５ａ  円盤の正面の形態
５ｂ  円盤の側断面の形態
６  紐通し部
７  固定バンドを留めるリング
８  手首
９  手の甲
１０  手のひら
１１ａ  親指
１１ｂ  人差し指
１１ｃ  中指
１１ｄ  薬指
１１ｅ  小指
１２  米国ＦＩＮＩＳ社製  ＦＯＲＥＡＲＭ  ＦＵＬＣＲＵＭ  ＰＡＤＤＬＥ
【図１】
2011011010.tif 000003
【図２】
2011011010.tif 000004
【図３】
2011011010.tif 000005
【図４】
2011011010.tif 000006
【図５】
2011011010.tif 000007
【図６】
2011011010.tif 000008
【図７】
2011011010.tif 000009
【図８】
2011011010.tif 000010